(57)【要約】【課題】入退室コントローラにおいて、操作窓部内に浸入した水が操作窓部から本体内に浸入したり、操作者の手指に付いていた水滴が手動操作スイッチを濡らしてしまったりすることをなくす。【解決手段】操作窓部７の内底面に前方に向って下降傾斜する傾斜面１０を形成すると共に、内底面にリブ１１を突設する。操作窓部７内に浸入した水は、傾斜面１０によって前方へ流れ、外部へと排出される。また、手動操作スイッチ９を操作する際に、指をリブ１１に接触させて後方に移動させることによって指に付いていた水をリブ１１によって擦り落とすことができ、水滴が手動操作スイッチ９に付着しないようにすることができる。【選択図】図２
2009074312.tif 000002
【特許請求の範囲】
【請求項１】
本体と、前記本体に当該本体の前面部から後方に窪んで空洞状に形成され後端部を開放した操作窓部と、前記本体内に配設され前記操作窓部から手指を差し入れて操作可能な手動操作素子とを備え、
前記操作窓部の内底面を前方に向って下降傾斜させ、且つ、前記操作窓部の内底面にリブを突設したことを特徴とする入退室コントローラ。
【発明の詳細な説明】
【技術分野】
【０００１】
本発明は入室資格の有無を判定して室のドアの施解錠を行う入退室コントローラに関する。
【背景技術】
【０００２】
入退室システムでは、室のドアの近傍にコントローラを設置し、個人が所有するＩＣカードをかざしたり、或いはＩＤ番号を入力したりすると、入退室システム全体の制御装置或いはコントローラ自身が入室資格の有無を判定し、ドアの電気施錠装置を施解錠する。
上記コントローラには、設置時、初期設定を行うための各種の手動スイッチ（手動操作素子）が設けられている。これら手動スイッチは、コントローラの本体内に設けられた基板に搭載され、本体に形成された操作窓部を通して操作可能となっている。
上記の操作窓部は、本体の前面部から本体内の基板に搭載された上記手動スイッチに向って後方に延びており、前後両端は開放されている。そして、手動スイッチを操作する場合には、操作窓部から手指を挿入して手動操作する。
【０００３】
コントローラは、室の外壁面に取り付けて使用される関係上、雨滴に晒される使用環境も考えられるため、操作窓部の前面開口部には、開閉可能な防水用の内カバーが設けられている。更に、上記手動スイッチは、通常、ユーザが操作する必要のない、更に言えば、ユーザが操作してはいけないものであるため、本体の前面部に外カバーを着脱可能に設け、当該外カバーによって、ＩＤ番号を入力するためのテンキー部分およびＩＣカードの読取部分を除き、本体の前面部のほぼ全体を覆うようにしている。
【０００４】
なお、本発明とは直接関係はないが、特許文献１には、内部にマイクロコンピュータを設けた車両用制御器の密閉型筺体において、筺体の上面の一方側に傾斜面を形成すると共に、その傾斜面の中央部分に筺体内に外部の気圧を導入するための通気栓を設け、更に、通気栓を挟むようにして当該通気栓の上下両側に防護壁を設け、制御器に水がかかった場合、その水を傾斜面により下端側へと流すと共に、２つの防護壁により通気栓への水の浸入を阻止して通気栓の冠水が防止できるようにすることが記載されている。
【特許文献１】特開２００４−３５７４６２
【発明の開示】
【発明が解決しようとする課題】
【０００５】
しかしながら、入退室コントローラの場合、本体の前面部が外カバーによって覆われているとは言っても、本体と外カバーとの隙間から雨水が外カバーの内側に浸入し、その雨水が更に内カバーと本体との隙間を通して操作窓部内に浸入することがある。すると、その操作窓部内に浸入した雨水が操作窓部の内底面を伝って本体内に浸入し、当該本体内の電気電子部品にかかったり、或いは、手動スイッチを操作する際に、操作者の手指に雨水などの水滴が付いていると、その水滴が手動スイッチを濡らしたりする。このような問題は、上記特許文献１の通気栓の周りから水を排除する構造を適用することによって解決することは困難である。
【０００６】
本発明は上記の事情に鑑みてなされたもので、その目的は、操作窓部内に浸入した水が操作窓部から本体内に浸入したり、操作者の手指に付いていた水滴が手動操作素子を濡らしてしまったりすることを極力防止できる入退室コントローラを提供することにある。
【課題を解決するための手段】
【０００７】
本発明は、操作窓部の内底面を前方に向って下降傾斜させているので、操作窓部内に浸入した水は、当該傾斜する内底面を前方に流れ下り、外部へと排出される。また、手動操作素子を操作する際に、指をリブに接触させて後方に移動させることによって指に付いていた水をリブによって擦り落とすことができ、水滴が手動操作素子に付着しないようにすることができる。
【発明を実施するための最良の形態】
【０００８】
以下、本発明の一実施形態につき図面を参照しながら説明する。図４および図５は入退室コントローラの主要部分を示すもので、この入退室コントローラ（以下、単にコントローラ）１の本体２は、全体として矩形箱状に構成されている。
本体２は、前ケース３と後ケース４とから構成されている。これら両ケース３，４は、共にプラスチック製で、前ケース３には、キー操作部５およびカードリーダ部６が配設されている。キー操作部５は、テンキーなどの各種のキー５ａを備えている。カードリーダ部６は、入室者の携帯するＩＣカードと電磁波などによって無線通信してＩＣカードから入室者の情報を取得する。
【０００９】
キー操作部５により操作されるスイッチからの入力情報、カードリーダ部６の読み取り情報は、コントローラ１自身が有する制御部（図示せず）、または、他のコントローラと共に入退室システムを構築した場合にシステム全体統括する中央の制御装置に送られて入退室資格が判断され、その判断結果に応じて室のドアの電気施錠装置の施解錠が制御される。
【００１０】
さて、前ケース３の前部の上部は、やや斜め上向きの斜状面に形成されており、この斜状面に、図３にも示すように、横長の矩形状をなす操作窓部７が形成されている。この操作窓部７は、前ケース３の前面上部の斜面部から後方に窪む空洞（筒）状に形成され、前後両端が共に開放されている。そして、図１に示すように、この操作窓部７の後側の開口端が前ケース３内に固定された大型の配線基板８と間隔を存して対向している。
【００１１】
上記配線基板８には、キー操作部５およびこのキー操作部５によって操作される各種スイッチ（図示せず）、マイクロコンピュータを主体とする前述の制御部、カードリーダ部６などの電気電子部品が搭載されている。そして、配線基板８は、前ケース３の前面部から所定距離離されて取り付けられており、これにより、配線基板８に搭載された各種の電気電子部品が前ケース３の前面部と所定の前後の位置関係に保持され、配線基板８と操作窓部７の底面後端との間には比較的大きな隙間が存在している。
【００１２】
配線基板８のうち、操作窓部７の後端開口部と対向する部分には、手動操作素子としての押釦式或いはロータリ式のスイッチなどからなる各種の手動操作スイッチ９が搭載されている。これら手動操作スイッチ９群は、電源の入り切り、システム選択スイッチ、コントローラ１のアドレス設定スイッチ、リセットスイッチなどとして機能する。これら手動操作スイッチ９群は横一列、或いは上下複数段に並べられ、操作窓部７に手指を差し入れることによって操作可能になっている。
【００１３】
このような操作窓部７の内底面は、前後方向途中部分、例えば操作窓部７の上面部７ａの前端直下部位よりも後方の部位から前端に向って下降傾斜する傾斜面１０に形成されている。また、傾斜面１０の後端部には、上方に立ち上がるリブ１１が突設されている。なお、このリブ１１の左右両端は、操作窓部７の左右両内側面に連なっている。
この操作窓部７の前面開口部は、内カバー１２によって開閉される。この内カバー１２は、上部の左右両側に突設された支持部１２ａ（図１および図２に右側のもののみ図示）を前ケース３側に突設された軸部１３（図３参照）に嵌合することによって上下方向に回動可能に取り付けられている。この内カバー１２には、突子１２ｂが後方に向けて一体に突設されている。この突子１２ｂは、内カバー１２が操作窓部７の前面開口部を閉鎖する位置に回動したとき、配線基板８に設けられたホトカプラ（図示せず）に対してその投光素子の光を受光素子が受光しないように遮光するものである。
【００１４】
操作窓部７の上部には、半開保持手段としての板ばね１４（図２参照）が取り付けられている。この板ばね１４は、内カバー１２を若干上方に押し上げ、内カバー１２を図２に示すような半開状態に保持する機能を有する。
前ケース３の前面部には、図６および図７に示すように、外カバー１５が着脱可能に取り付けられる。この外カバー１５は、キー操作部５、カードリーダ部６およびその他の一部分を除いて前ケース３の前面部を覆う。この外カバー１５が前ケース３に取り付けられた状態では、内カバー１２は、図６に示すように、外カバー１５に押されて操作窓部７の前面開口部を閉じた閉鎖位置に保持されている。これにより、内カバー１２の突子１２ｂは、図示しないホトカプラーを遮光状態にし、外カバー１５が取り付けられたことを報知する。
【００１５】
以上のようなコントローラ１は、図８に示すように室の外壁面１６に取り付けられる。そのため、場合によっては、雨水がかかる環境下で使用されることがある。この場合、コントローラ１にかかった雨水の一部が本体２と外カバー１５との間の隙間から外カバー１５の内側に浸入し、更に、外カバー１５の内側に浸入した雨水の一部が本体２の前ケース３と内カバー１２との間の隙間から操作窓部７内に浸入することがある。操作窓部７内に浸入した水は、当該操作窓部７の上面部７ａの前端から操作窓部７の内側面に伝い移って内底面に流れ下り、或いは操作窓部７の上面部の前端部が若干下方に傾斜していることから上面部の前端部から操作窓部７の内底面に滴下する。
【００１６】
このようにして操作窓部７の内底面に伝い下り、或いは内底面に滴下した水は、操作窓部７の内底面が前方に向って下降傾斜する傾斜面１０に形成されていることにより、当該傾斜面１０を前方に向って流れ、傾斜面１０の前端から操作窓部７の外部へと流れ出る。この場合、操作窓部７の奥部にはリブ１１が立設されているので、操作窓部７の内底面を流れる水が何らかの原因、例えば風などによって後方へ押しやられても、操作窓部７の内底面から本体２内に滴下して電気電子部品にかかるといった事態は生じない。
【００１７】
ところで、初期設定を行う場合、或いは設定を変更するような場合に、雨天で、手動操作スイッチ９を操作する手が濡れていたりすることがある。このような場合、手指で手動操作スイッチ９を操作する直前で、指がリブ１１を通過する際、図２に示すように、指をリブ１１の上端に接触させながら後方へ動かすようにする。すると、指に付いていた水滴がリブ１１に伝い移り、或いは水が指から擦り落とされるようになり、指で手動操作スイッチ９を操作するとき、手動操作スイッチ９に水滴が付着したりするという事態は生じない。
このように、本実施形態によれば、操作窓部７の内底面を傾斜面１０に形成すると共に、内底面にリブ１１を突設するという簡単な構造で、水が本体２内に浸入したり、指に付着した水滴が手動操作スイッチ９に付着したりするといった不具合を効果的に防止できるものである。
【００１８】
なお、本発明は上記し且つ図面に示す実施例に限定されるものではなく、例えば、  リブ１１は、必ずしも傾斜面１０の後端に設ける必要はない。例えば、図１において、リブ１１を傾斜面１０の後端から後方に離して操作窓部７の内底面の後端に突設するようにしても良いなど、要旨を逸脱しない範囲で種々変更して実施することができる。
【図面の簡単な説明】
【００１９】
【図１】本発明の一実施形態を示すもので、外カバーを取り外した状態での操作窓部の縦断側面図
【図２】手動操作スイッチを操作する場合の状態を示す図１相当図
【図３】前ケース単体を縦断して示す操作窓部の斜視図
【図４】外カバーを取り外し更に内カバーを開いて示す本体の斜視図
【図５】外カバーを取り外して示す本体の正面図
【図６】外カバーを取り付けて示す操作窓部の縦断側面図
【図７】外カバーを取り付けた状態で示すコントローラ全体の正面図
【図８】室の外壁面に取り付けた状態で示すコントローラ全体の側面図
【符号の説明】
【００２０】
図面中、２は本体、３は前ケース、７は操作窓部、８は配線基板、９は手動操作スイッチ（手動操作素子）、１０は傾斜面、１１はリブ、１２は内カバー、１５は外カバーである。
【図１】
2009074312.tif 000003
【図２】
2009074312.tif 000004
【図３】
2009074312.tif 000005
【図４】
2009074312.tif 000006
【図５】
2009074312.tif 000007
【図６】
2009074312.tif 000008
【図７】
2009074312.tif 000009
【図８】
2009074312.tif 000010